(57)【要約】【課題】      食品機械における真空吸引ラインの消毒を確実に行うことができ、さらに消毒作業の省力化を達成することである。【解決手段】  熱交換器５およびその下流側に真空吸引手段７を備えた真空吸引ライン２を処理槽１に接続してなる食品機械の消毒方法であって、前記処理槽１を介することなく前記真空吸引ライン２へ加熱殺菌用の蒸気または温水を供給する。【選択図】    図１
2004202223.tif 000002
【特許請求の範囲】
【請求項１】
熱交換器５およびその下流側に真空吸引手段７を備えた真空吸引ライン２を処理槽１に接続してなる食品機械の消毒方法であって、前記処理槽１を介することなく前記真空吸引ライン２へ加熱殺菌用の蒸気または温水を供給することを特徴とする食品機械の消毒方法。
【請求項２】
前記熱交換器５内における凝縮水または温水の温度を第一所定温度以上としたことを特徴とする請求項１に記載の食品機械の消毒方法。
【請求項３】
前記熱交換器５から前記真空吸引手段７への凝縮水または温水の温度を前記真空吸引手段７の耐熱温度以下に調整することを特徴とする請求項１または請求項２に記載の食品機械の消毒方法。
【請求項４】
前記真空吸引ライン２へ蒸気または温水を供給する際、前記熱交換器５へ冷却水を供給することを特徴とする請求項１〜請求項３のいずれか１項に記載の食品機械の消毒方法。
【発明の詳細な説明】
【技術分野】
【０００１】
この発明は、真空冷却装置，蒸煮冷却装置などのような、処理槽に真空吸引ラインを接続してなる食品機械の消毒方法に関するものである。
【背景技術】
【０００２】
近年、食品の安全性および衛生面への配慮から、加熱調理した食品の温度を素早く低下させることが要求されるようになった。そのため、食品を短時間で冷却することができる装置として、真空冷却装置が多用されている。この真空冷却装置は、密閉可能な処理槽（すなわち、冷却槽）に真空吸引ラインを接続した構成である。そして、この真空吸引ラインによって前記冷却槽内を減圧して飽和蒸気温度を低下させることにより、前記冷却槽内に収容した食品中の水分の蒸発を促進させ、この水分が蒸発する際の気化潜熱を利用して食品を冷却するようになっている。
【０００３】
ところで、前記真空冷却装置においては、前記冷却槽の真空吸引時、食品から蒸発した揮発成分や食品から飛散した食品の破片，微粒片が前記真空吸引ライン内へ吸い込まれてその内部に付着する。このような食品の揮発成分や飛散した食品の付着は、雑菌の繁殖や悪臭の発生の原因になる。そこで、このような雑菌の繁殖や悪臭の発生を防止するため、従来一般には、前記真空吸引ラインを分解洗浄し、前記真空吸引ラインの消毒を行っている。しかし、前記真空吸引ラインには、通常、前記真空冷却装置の冷却性能を高めるための熱交換器が設けられているので、分解洗浄には長時間を要し、毎日の作業として取り入れることができない。
【０００４】
そこで、従来の真空冷却装置においては、冷却槽内における真空吸引口に洗浄水ラインを接続し、この洗浄水ラインからの洗浄水によって、真空吸引ラインおよび熱交換器を洗浄する構成が提案されている（たとえば、特許文献１参照)。この真空冷却装置においては、洗浄水として水道水を使用しているため、消毒を確実に行うことができないと云う問題がある。また、前記真空冷却装置においては、洗浄のたびに前記洗浄水ラインを接続する必要があり、手間がかかると云う問題もある。
【０００５】
【特許文献１】特開２００１−２２５４６号公報
【発明の開示】
【発明が解決しようとする課題】
【０００６】
この発明が解決しようとする課題は、真空冷却装置における真空吸引ラインの消毒を確実に行うことができ、さらに消毒作業の省力化を達成することである。
【課題を解決するための手段】
【０００７】
この発明は、前記課題を解決するためになされたもので、請求項１に記載の発明は、熱交換器およびその下流側に真空吸引手段を備えた真空吸引ラインを処理槽に接続してなる食品機械の消毒方法であって、前記処理槽を介することなく前記真空吸引ラインへ加熱殺菌用の蒸気または温水を供給することを特徴としている。
【０００８】
請求項１に記載の発明によれば、前記処理槽を介することなく、前記真空吸引ラインへ直接蒸気や温水を供給することにより、大量の蒸気や温水を使用することなく、前記真空吸引ラインの消毒を確実に行うことができる。さらに、前記真空吸引ラインの分解洗浄や、洗浄水ラインの接続などの作業が不要となるので、前記真空吸引ラインの消毒作業の省力化を達成することができる。
【０００９】
請求項２に記載の発明は、請求項１の発明において、前記熱交換器内における凝縮水または温水の温度を第一所定温度以上としたことを特徴としている。
【００１０】
請求項２に記載の発明によれば、前記熱交換器内における凝縮水や温水の温度を前記第一所定温度以上に維持することにより、前記真空吸引ラインにおける前記熱交換器までの消毒を効率よく行うことができる。
【００１１】
請求項３に記載の発明は、請求項１または請求項２の発明において、前記熱交換器から前記真空吸引手段への凝縮水または温水の温度を前記真空吸引手段の耐熱温度以下に調整することを特徴としている。
【００１２】
請求項３に記載の発明によれば、前記熱交換器出口側での凝縮水や温水の温度を前記第二所定温度以下とすることによって、前記真空吸引手段が短期間で劣化するのを防止することができる。
【００１３】
さらに、請求項４に記載の発明は、請求項１〜３のいずれかの発明において、前記真空吸引ラインへ蒸気または温水を供給する際、前記熱交換器へ冷却水を供給することを特徴としている。
【００１４】
請求項４に記載の発明によれば、前記熱交換器内での凝縮水や温水の温度を低下させることができるので、前記熱交換器から前記真空吸引手段への凝縮水や温水の温度が前記真空吸引手段の耐熱温度以上の温度となるのを確実に防止することができる。
【発明の効果】
【００１５】
この発明によれば、食品機械における真空吸引ライン内を確実に消毒することができ、雑菌の繁殖や悪臭の発生を確実に防止することができる。また、前記真空吸引ラインの分解洗浄などの手間が不要になり、消毒作業の省力化を達成することができる。
【発明を実施するための最良の形態】
【００１６】
つぎに、この発明の実施の形態について説明する。この発明の消毒方法は、熱交換器およびその下流側に真空吸引手段を備えた真空吸引ラインを処理槽に接続してなる食品機械において、好適に実施することができる。前記食品機械としては、真空冷却装置の他、蒸気による食品の加熱調理とその後の真空冷却を行う蒸煮冷却装置，処理槽内へ減圧下で蒸気を供給して冷凍食品の解凍を行う真空解凍装置などがある。
【００１７】
ここにおいて、前記熱交換器は、前記処理槽内の真空吸引時、前記処理槽内の蒸気（食品から蒸発した蒸気や前記処理槽内へ供給した蒸気）を冷却水との熱交換によって凝縮させ、前記真空吸引手段による吸引効率を増加させるために設けられている。したがって、前記真空冷却装置や前記蒸煮冷却装置においては、前記熱交換器を用いることによって、真空冷却時の冷却性能を向上させることができる。また、前記真空吸引手段は、水封式真空ポンプや、水エゼクタが用いられる。
【００１８】
以下の実施の形態では、真空冷却装置における実施の形態について説明する。さて、この発明の消毒方法においては、処理槽（すなわち、冷却槽）を介することなく前記真空吸引ラインへ加熱殺菌用の蒸気または温水を供給する。前記真空吸引ラインへの蒸気や温水の供給は、前記真空冷却装置の冷却運転（食品を冷却し、前記冷却槽から取り出すまでの一連の運転）を停止しているときに行う。
【００１９】
また、前記真空吸引ラインへの蒸気や温水の供給箇所は、前記真空吸引ラインにおける
前記冷却槽と前記熱交換器との間であって、前記冷却槽になるべく近い箇所とするのが好ましい。ここにおいて、前記真空吸引ラインへの蒸気の供給は、ボイラなどの適宜の蒸気発生手段を用いることができるし、また前記真空冷却装置を設置している施設に備えられている蒸気配管から供給するように構成することもできる。また、前記真空吸引ラインへの温水の供給は、温水ボイラや給湯器などの他、水と蒸気とを混合して温水を得る混合手段（たとえば、いわゆるミキシングバルブ）のような適宜の温水生成手段を用いることができる。また、前記真空吸引ラインへの温水の供給は、前記真空冷却装置を設置している施設に備えられている温水配管から供給するように構成することもできる。
【００２０】
以上のように、前記冷却槽を介することなく、前記真空吸引ラインへ直接蒸気や温水を供給するようにすると、大量の蒸気や温水を使用することなく、前記真空吸引ラインの消毒を確実に行うことができる。さらに、前記真空吸引ラインの分解洗浄や、洗浄水ラインの接続などの作業が不要となるので、前記真空吸引ラインの消毒作業の省力化を達成することができる。
【００２１】
また、この発明の消毒方法においては、前記熱交換器内における凝縮水または温水の温度を第一所定温度以上となるように構成する。すなわち、前記真空吸引ラインへの蒸気の供給条件（温度，圧力，供給量など）や温水の供給条件（温度，供給量など）を予め調整しておくことによって、前記熱交換器内における凝縮水や温水の温度を前記第一所定温度以上とする。
【００２２】
前記第一所定温度は、前記真空吸引ラインにおける前記熱交換器までの消毒を効率よく行うことができる加熱温度の下限温度であって、約６０℃である。このように、前記熱交換器内における凝縮水や温水の温度を前記第一所定温度以上に維持することにより、前記真空吸引ラインにおける前記熱交換器までの消毒を効率よく行うことができる。
【００２３】
また、この発明の消毒方法において、前記真空吸引手段に耐熱性の問題がある場合には、前記熱交換器から前記真空吸引手段への凝縮水または温水の温度を前記真空吸引手段の耐熱温度以下に調整するように構成する。すなわち、前記と同様、前記真空吸引ラインへの蒸気の供給条件や温水の供給条件を予め調整しておくことによって、前記熱交換器出口側での凝縮水や温水の温度を前記真空吸引手段の耐熱温度以下の温度（以下、「第二所定温度」と云う）に調整する。この構成は、前記真空吸引手段が、とくに水封式真空ポンプの場合において好適である。このように、前記熱交換器出口側での凝縮水や温水の温度を前記第二所定温度以下とすることによって、前記真空吸引手段が短期間で劣化するのを防止することができる。
【００２４】
また、この発明の消毒方法においては、前記真空吸引ラインへ蒸気または温水を供給する際、前記熱交換器へ冷却水を供給するように構成する。この構成は、前記のように、前記真空吸引手段に耐熱性の問題がある場合において、好適である。このように構成すると、前記熱交換器内での凝縮水や温水の温度を低下させることができるので、前記熱交換器から前記真空吸引手段への凝縮水や温水の温度が前記真空吸引手段の耐熱温度以上の温度となるのを確実に防止することができる。
【００２５】
ここにおいて、前記熱交換器へ冷却水を供給する場合、前記熱交換器内や前記熱交換器出口側における凝縮水や温水の温度は、前記熱交換器内や前記熱交換器出口側の凝縮水や温水の温度に基づいて、冷却水の供給量を制御することによって調整することができる。また、この冷却水の供給量の制御は、前記熱交換器から排出される冷却水の温度に基づいて行うこともできる。さらに、冷却水の供給量を制御する代わりに、前記真空冷却ラインへの蒸気や温水の供給量を制御することもできる。
【００２６】
この場合、前記冷却水排出ライン内の冷却水の温度の調整は、前記熱交換器への冷却水の供給量を制御することによって行う。この冷却水の供給量の制御は、前記冷却水排出ライン内の冷却水の温度に基づいて行うことができるし、また前記熱交換器内や前記熱交換器出口側での凝縮水や温水の温度に基づいて行うことができる。また、前記冷却水排出ライン内の冷却水温度の調整は、前記真空吸引ラインへの蒸気や温水の供給量を調整することによって行うこともできる。
【００２７】
さらに、この発明の消毒方法において、前記熱交換器の冷却水排出ラインに耐熱性の問題がある場合、前記熱交換器へ冷却水を供給する際には、前記熱交換器からの熱交換後の冷却水の温度が、前記熱交換器の冷却水排出ラインの耐熱温度以下となるように調整する。すなわち、前記冷却水排出ラインは、一般に合成樹脂製（主に塩化ビニール製）の配管が用いられているため、前記冷却水排出ライン内の冷却水の温度を前記合成樹脂製配管の耐熱温度以下に調整することで、前記冷却水排出ラインの熱による劣化を防止することができる。
【００２８】
また、この発明の消毒方法において、前記真空吸引ラインへ蒸気を供給する場合には、前記真空吸引手段を作動させることができる。前記真空吸引手段を作動させると、前記熱交換器内の凝縮水を排出することができるので、前記熱交換器内やその下流側の前記真空吸引ライン内での凝縮水の滞留を防止し、前記冷却槽内へ蒸気が流入するのを防止することができる。したがって、前記冷却槽内への蒸気の流入による前記冷却槽内の圧力上昇を防止することができるため、前記冷却槽を強固な耐圧構造とすることなく、安全に消毒作業を行うことができる。また、前記真空吸引ラインへ温水を供給する場合においても前記真空吸引手段を作動させることができ、この場合には、消毒に使用した後の温水が前記冷却槽内へ流入し、前記冷却槽内が汚染されるのを防止することができる。
【００２９】
また、この発明は、前記真空吸引ラインに蒸気エゼクタを備えてなる真空冷却装置において、好適に実施することができる。このように、前記真空冷却ラインに前記蒸気エゼクタを備えている場合、前記蒸気エゼクタへ作動流体としての蒸気を供給するための給蒸ラインを利用して前記真空吸引ラインへ蒸気を供給することができる。したがって、既存の配管を変えることなく、この発明の消毒方法を実施することができる。
【００３０】
さらに、この発明の消毒方法は、つぎの実施の形態を含んでいる。すなわち、熱交換器およびその下流側に真空吸引手段を備えた真空吸引ラインを冷却槽に接続し、前記冷却槽の内壁面に対して洗浄液を噴霧するノズルを備えてなる真空冷却装置の消毒方法であって、前記冷却槽を介することなく前記真空吸引ラインへ加熱殺菌用の蒸気または温水を供給し、前記洗浄ノズルへ温水を供給するようにした消毒方法である。
【００３１】
この実施の形態においては、スライド式の扉を備えた真空冷却装置が好適であり、とくに特開平１１−１３８１２０号公報に示されるような、屈曲可能なシャッター構造の扉を備えた真空冷却装置において好適に実施することができる。また、前記ノズルは、前記冷却槽の内壁面や前記扉裏面へ洗浄液を噴霧して洗浄するためのノズルである。
【００３２】
この実施の形態においては、前記真空吸引ラインへ直接蒸気または温水を供給して、前記真空吸引ラインへ蒸気または温水を供給した後、前記ノズルへ温水を供給して前記扉裏面や前記冷却槽内壁面を洗浄，消毒する。前記真空吸引ラインの消毒と、前記扉裏面や前記冷却槽内壁面の洗浄，消毒の順番は、前記と逆に行うことができるし、また同時に行うこともできる。
【００３３】
この実施の形態においては、前記のように、前記真空吸引ラインの消毒を確実に行うことができ、前記真空吸引ラインの消毒作業の省力化を達成することができる上、前記洗浄
ノズルへ温水を供給することにより、前記冷却槽の内壁面や前記扉の裏面を確実に消毒することができる。
【００３４】
以上の実施の形態の説明においては、食品機械として真空冷却装置を例に挙げて説明しているが、この発明の消毒方法は、前記のように、蒸煮冷却装置，真空解凍装置などのように、熱交換器およびその下流側に真空吸引手段を備えた真空吸引ラインを処理槽に接続してなる食品機械において実施することができる。
【実施例１】
【００３５】
以下、この発明の具体的実施例を図面に基づいて詳細に説明する。図１は、この発明の消毒方法を実施する食品機械の第一の構成例を示す説明図である。ここで、図１に示す食品機械は、食品の冷却を行う真空冷却装置である。
【００３６】
図１において、処理槽としての冷却槽１は、前面に食品を出し入れするための開口部（図示省略）を備え、この開口部を扉（図示省略）によって密閉する構造である。前記冷却槽１には、その内部を減圧するための真空吸引ライン２と、真空冷却後に前記冷却槽１内を大気圧に戻すための外気導入ライン３とが接続されている。
【００３７】
まず、前記真空吸引ライン２には、前記冷却槽１側から蒸気エゼクタ４，熱交換器５，逆止弁６および水封式真空ポンプ７（以下、「真空ポンプ」と云う）が設けられている。前記蒸気エゼクタ４には、第一給蒸制御弁８を備えた第一給蒸ライン９が接続されている。また、前記熱交換器５には、冷却水制御弁１０を備えた冷却水供給ライン１１と、冷却水排出ライン１２とが接続されている。さらに、前記真空ポンプ７には、前記真空ポンプ７へ作動流体としての封水を供給する封水供給ライン１３と、排出ライン１４とが接続されている。
【００３８】
つぎに、前記外気導入ライン３には、前記冷却槽１側から外気導入弁１５および前記冷却槽１内へ導入する外気中のほこりや雑菌などを除去するためのフィルタ１６が設けられている。
【００３９】
つぎに、前記真空冷却装置の制御構成について説明する。まず、前記真空ポンプ７，前記第一給蒸制御弁８，前記冷却水制御弁１０および前記外気導入弁１５は、回線１７を介してそれぞれ制御器１８に接続されている。そして、前記真空ポンプ７，前記第一給蒸制御弁８，前記冷却水制御弁１０および前記外気導入弁１５は、前記制御器１８によってそれぞれ制御されるように構成されている。
【００４０】
つぎに、前記真空冷却装置の運転について、前記制御器１８の制御内容とともに説明する。まず、前記制御器１８は、前記真空ポンプ７を作動させるとともに、前記冷却水制御弁１０を開いて、前記熱交換器５へ冷却水を供給する。すると、前記冷却槽１内の空気および蒸気（以下、「混合気体」と云う）は、前記真空吸引ライン２を介して前記排出ライン１４から排出される。
【００４１】
そして、前記真空ポンプ７の作動により、前記冷却槽１内の圧力が低下していくと、この圧力の低下につれて、飽和蒸気温度が低下する。そのため、前記冷却槽１内に収容した食品（図示省略）の水分が活発に蒸発し、この蒸発に伴う気化潜熱により、前記食品が冷却される。ここで、前記混合気体は、前記熱交換器５を通過する際に冷却され、蒸気が急速に凝縮して体積が減少し、前記熱交換器５内での圧力が低下するため、前記真空ポンプ７による真空吸引が効率よく行われる。
【００４２】
そして、所定時間経過後、前記第一給蒸制御弁８を開放して、前記蒸気エゼクタ４を作
動させ、低圧となった前記冷却槽１からさらに前記混合気体を吸引する。すると、前記冷却槽１内の圧力はさらに低下するため、前記食品の温度もさらに低下する。ここで、前記蒸気エゼクタ４からは、前記混合気体とともに、前記第一給蒸ライン９からの蒸気が排出されるが、前記のように、前記熱交換器５によって蒸気を凝縮させることで、前記真空ポンプ７による真空吸引の効率を向上させている。
【００４３】
前記食品が所定冷却温度まで冷却されると、前記制御器１８は、前記真空ポンプ７を停止させるとともに、前記第一給蒸制御弁８を閉じて前記蒸気エゼクタ４を停止させる。また、前記冷却水制御弁１０を閉じて、前記熱交換器５への冷却水の供給を停止する。そして、前記外気導入弁１５を開くことにより、前記外気導入ライン３から前記冷却槽１内へ空気を導入して前記冷却槽１内を大気圧に戻す。この後、前記扉（図示省略）を開いて、前記冷却槽１から前記食品を取り出して、前記真空冷却装置の冷却運転を終了する。
【００４４】
さて、つぎに、前記真空冷却装置の消毒方法の第一実施例について、図１を参照しながら、前記制御器１８の制御内容とともに説明する。ここで、この消毒方法の第一実施例を実施する前記真空冷却装置においては、前記真空吸引ライン２における前記熱交換器５と前記真空ポンプ７との間に、前記熱交換器５からの凝縮水の温度を検出するための第一温度センサ１９を設けてある。この第一温度センサ１９は、前記回線１７を介して前記制御器１８に接続されている。
【００４５】
さて、前記消毒方法の第一実施例においては、前記冷却運転を停止しているとき、前記第一給蒸制御弁８を開くことにより、前記蒸気エゼクタ４を介して前記真空吸引ライン２へ蒸気を供給する。すなわち、前記冷却槽１を介することなく前記真空吸引ライン２へ加熱殺菌用の蒸気を直接供給する。
【００４６】
また、前記真空吸引ライン２へ蒸気を供給する際には、前記冷却水制御弁１０を開いて前記熱交換器５へ冷却水を供給するとともに、前記真空ポンプ７を作動させる。すると、前記熱交換器５内においては、前記熱交換器５へ供給された冷却水によって、前記熱交換器５へ流入した蒸気が凝縮し、この凝縮水は、前記真空ポンプ７によって、前記排出ライン１４から排出される。
【００４７】
ここにおいて、前記真空吸引ライン２へ蒸気の供給量および前記熱交換器５への冷却水の供給量は、前記熱交換器５内の凝縮水の温度が第一所定温度以上の温度となるように予め調整してある。この第一所定温度は、前記真空吸引ライン２における前記熱交換器５までの消毒を効果的に行なうことができる加熱温度（すなわち、細菌類を効果的に死滅させるための加熱温度）の下限温度である。たとえば、前記真空吸引ライン２への蒸気の圧力は、０．４ＭＰａであり、温度は、約１５１℃であって、この蒸気の供給により、前記真空吸引ライン２を加熱し、消毒を行う。
【００４８】
そして、前記熱交換器５内の凝縮水の温度を前記第一所定温度以上とした状態を所定加熱時間維持する。この所定加熱時間は、前記第一所定温度に基づいて、所望の殺菌状態に応じて決定した時間である。すなわち、細菌類を死滅させるための条件として、加熱温度とこの加熱温度を維持する時間とが細菌類の種類に応じて決まるので、所望の殺菌状態と前記第一所定温度とに基づいて、前記所定加熱時間を求めることができる。たとえば、病原性大腸菌Ｏ−１５７の場合、前記所定加熱時間は、前記第一所定温度を６０℃とする場合、約１０分であり、また７０℃とする場合、約４秒である。
【００４９】
つぎに、前記所定加熱時間経過後、前記第一給蒸制御弁８および前記冷却水制御弁１０を閉じ、前記真空ポンプ７を停止させ、消毒作業を終了する。
【００５０】
以上のように、前記真空吸引ライン２へ加熱殺菌用の蒸気を直接供給するようにすると、大量の蒸気を使用することなく、前記真空吸引ライン２の消毒を確実に行うことができる。しかも、前記真空ポンプ７によって、前記真空吸引ライン２内を吸引しているので、前記真空吸引ライン２へ供給された蒸気が前記冷却槽１内へ流入するのを防止することができる。そのため、前記冷却槽１は、蒸気の流入によって圧力が上昇しないので、前記冷却槽１の耐圧性に関係なく前記真空吸引ライン２の消毒作業を安全に行うことができ、しかも前記冷却槽１を強固な耐圧構造とする必要がなくなる。さらに、前記真空吸引ライン２の分解洗浄や、洗浄水ラインの接続などの作業が不要となるので、前記真空吸引ライン２の消毒作業の省力化を達成することができる。
【００５１】
ここで、前記真空ポンプ７の作動により、前記冷却槽１内へ蒸気が流入するのを防止することができる理由について、つぎに説明する。まず、前記熱交換器５は、前記真空吸引ライン２内へ供給された蒸気を冷却し、凝縮させている。つぎに、この凝縮水が、前記熱交換器５内やその下流側の前記真空吸引ライン２内に滞留すると、前記蒸気エゼクタ４からの蒸気は、前記排出ライン１４からの排出が妨げられるので、前記冷却槽１内へ流入してしまう。そこで、前記真空ポンプ７を作動させることによって凝縮水を吸引し、前記排出ライン１４から排出することで、前記第一給蒸ライン９からの蒸気が前記冷却槽１内へ流入するのを防止することができる。したがって、蒸気の流入による前記冷却槽１内の圧力の上昇を防止することができるため、前記冷却槽１を強固な耐圧構造とすることなく、消毒作業を安全に行うことができる。
【００５２】
以上のように、前記熱交換器５内における凝縮水の温度を前記第一所定温度以上に維持することにより、前記真空吸引ライン２における前記熱交換器５までの消毒を効率よく行うことができる。また、前記熱交換器５内における凝縮水の温度を前記第一所定温度以上に維持することにより、前記熱交換器５内に付着した油脂分などの揮発成分を溶かすことができるので、このような揮発成分も除去することができる。そのため、前記汚れの固着による前記熱交換器５の熱効率の低下により、前記冷却性能が低下するのを防止することができる。
【００５３】
また、この第一実施例において、前記真空吸引ライン２へ蒸気を供給する際、前記制御器１８は、前記第一温度センサ１９による検出結果に基づき、前記熱交換器５出口側での凝縮水の温度が第二所定温度以下となるように、前記冷却水制御弁１０を開閉制御し、前記熱交換器５への冷却水の供給量を調整している。前記冷却水制御弁１０の開閉制御は、具体的には、前記検出結果が前記第二所定温度より高いときは、前記冷却水制御弁１０の単位時間当たりの開時間を長くして、前記熱交換器５への冷却水の供給量を多くする。一方、前記検出結果が前記第二所定温度より低いときは、前記冷却水制御弁１０の単位時間当たりの開時間を短くして、冷却水の供給量を少なくする。
【００５４】
ここで、前記第二所定温度は、前記真空ポンプ７の耐熱温度以下の温度である。この耐熱温度が９０℃の場合、前記第二所定温度は、８５℃に設定する。このように、前記熱交換器５から前記真空ポンプ７への凝縮水温度を調整することにより、前記真空ポンプ７が高温の凝縮水によって短期間に劣化するのを防止することができる。
【００５５】
また、この第一実施例において、前記冷却水排出ライン１２が、塩化ビニール製の配管で構成されている場合、つぎのような制御を行う。すなわち、前記第一温度センサ１９による検出温度に基づき、前記冷却水排出ライン１２内の冷却水の温度が第三所定温度以下となるように、前記冷却水制御弁１０を開閉制御し、前記熱交換器５への冷却水の供給量を調整する。前記第三所定温度は、前記塩化ビニール製の配管の耐熱温度（６０℃）以下の温度である。このように、前記冷却水排出ライン１２内の冷却水の温度を前記第三所定温度以下に調整することで、前記冷却水排出ライン１２の熱による劣化を防止することが
できる。
【００５６】
ここで、前記第一温度センサ１９による検出温度に基づいて、前記冷却水排出ライン１２内の冷却水の温度の調整することができるのは以下の理由による。すなわち、前記熱交換器５への蒸気の圧力，温度，供給量と、前記熱交換器５への冷却水の温度，供給量との関係から、前記熱交換器５からの凝縮水の温度に基づいて、前記熱交換器５からの熱交換後の冷却水温度を求めることができるからである。
【００５７】
また、この第一実施例においては、前記熱交換器５への冷却水の供給量を制御することにより、前記熱交換器５内の凝縮水の熱によって前記食品からのタンパク質成分などの汚れが変質して前記熱交換器５の伝熱面に固着するのを防止することができる。すなわち、前記熱交換器５への冷却水の供給量を制御し、前記熱交換器５内における凝縮水の温度を前記のような汚れが変質しない温度以下とすることにより、前記汚れが前記伝熱面に固着するのを防止することができる。したがって、前記汚れの固着による前記熱交換器５の熱効率の低下を防止することができるので、前記真空冷却装置の冷却性能が低下するのを防止することができる。
【００５８】
ここで、この第一実施例においては、前記熱交換器５の出口側の凝縮水の温度に基づいて、冷却水の供給量を制御しているが、前記真空ポンプ７の耐熱性を考慮する必要のないときは、この制御は不要である。
【実施例２】
【００５９】
つぎに、この発明の第二実施例について、図２を参照しながら説明する。この第二実施例は、前記冷却水排出ライン１２内の冷却水の温度に基づいて、前記熱交換器５への冷却水の供給量を制御する場合の実施例である。図２は、この発明の消毒方法を実施する食品機械の第二の構成例を示す説明図である。この食品機械の第二の構成例を示す図２において、前記第一の構成例を示す図１と同一の符号は、同一の部材を示し、それらの詳細な説明は省略する。
【００６０】
図２において、前記冷却水排出ライン１２には、前記冷却水排出ライン１２内の冷却水の温度を検出するための第二温度センサ２０が設けられている。この第二温度センサ２０は、前記回線１７を介して前記制御器１８に接続されている。そして、前記第二温度センサ２０によって、前記熱交換器５からの熱交換後の冷却水の温度を検出し、この検出温度に基づいて、前記冷却水制御弁１０を開閉制御し、前記熱交換器５への冷却水の供給量を調整することで、前記熱交換器５内の凝縮水の温度を制御している。すなわち、前記第二温度センサ２０の検出結果に基づく前記熱交換器５出口側における凝縮水の温度が前記第二所定温度よりも高くなるときは、前記冷却水制御弁１０の単位時間当たりの開時間を長くして、前記熱交換器５への冷却水の供給量を多くする。一方、前記検出結果に基づく前記熱交換器５出口側における凝縮水の温度が前記第二所定温度より低いときは、前記冷却水制御弁１０の単位時間当たりの開時間を短くして、冷却水の供給量を少なくする。
【００６１】
ここで、前記第二温度センサ２０による検出温度に基づいて、前記熱交換器５内や前記熱交換器５出口側における凝縮水の温度を調整することができるのは以下の理由による。すなわち、前記熱交換器５への蒸気の圧力，温度，供給量と、前記熱交換器５への冷却水の温度，供給量との関係から、熱交換後の冷却水温度に基づいて、前記熱交換器５出口側での凝縮水の温度を求めることができるからである。
【００６２】
以上のように、この第二実施例においても、前記真空ポンプ７が高温の凝縮水によって劣化するのを防止することができる。また、この第二実施例においても、前記第二温度センサ２０による検出温度に基づいて、前記冷却水制御弁１０を開閉制御することにより、
前記冷却水排出ライン１２内の冷却水の温度を前記第三所定温度以下に調整することができる。そのため、前記第一実施例と同様、前記冷却水排出ライン１２の熱による劣化を防止することができる。
【００６３】
ここで、前記第一実施例および前記第二実施例においては、前記熱交換器５内や前記熱交換器５出口部での凝縮水の温度および前記熱交換器５からの冷却水の温度の調整を前記熱交換器５への冷却水の供給量を制御することによって行っているが、前記真空吸引ライン２内への蒸気の供給量を制御することによって行うこともできる。この場合には、前記第一温度センサ１９や前記第二温度センサ２０からの検出結果に基づいて、前記冷却水制御弁１０の開閉制御を行う代わりに、前記第一給蒸制御弁８の開閉制御を行う。
【実施例３】
【００６４】
つぎに、この発明の第三実施例について、図３を参照しながら説明する。この第三実施例は、蒸気の代わりに温水を用いて前記真空吸引ライン２内の消毒を行う場合の実施例である。図３は、この発明の消毒方法を実施する食品機械の第三の構成例を示す説明図である。この食品機械の第三の構成例を示す図３において、前記第一の構成例を示す図１と同一の符号は、同一の部材を示し、それらの詳細な説明は省略する。
【００６５】
図３において、前記第一給蒸ライン９における前記蒸気エゼクタ４と前記第一給蒸制御弁８との間には、第一温水制御弁２１を備えた第一温水供給ライン２２が接続されている。前記第一温水供給ライン２２の上流端には、温水生成装置２３が設けられており、この温水生成装置２３には、給水ライン２４と、前記第一給蒸ライン９から分岐する第二給蒸ライン２５とが接続されている。前記温水生成装置２３は、いわゆるミキシングバルブであって、前記給水ライン２４からの水と前記第二給蒸ライン２５からの蒸気を予め設定した温度となるように混合し、前記第一温水供給ライン２２へ供給するようになっている。前記給水ライン２４には、給水制御弁２６が設けられており、また前記第二給蒸ライン２５には、第二給蒸制御弁２７が設けられている。
【００６６】
そして、前記第一温水制御弁２１，前記給水制御弁２６および前記第二給蒸制御弁２７は、前記回線１７を介してそれぞれ前記制御器１８に接続されている。前記各制御弁２１，２６，２７は、前記真空ポンプ７，前記第一給蒸制御弁８，前記冷却水制御弁１０および前記外気導入弁１５とともに、前記制御器１８によって制御されるように構成されている。
【００６７】
さて、この第三実施例においては、前記冷却運転を停止しているとき、前記給水制御弁２６および前記第二給蒸制御弁２７を開いた後、前記第一温水制御弁２１を開く。すると、前記温水生成装置２３へ供給された水と蒸気とが混合されて所定温度の温水となり、この温水は、前記第一温水供給ライン２２から前記蒸気エゼクタ４を介して前記真空吸引ライン２へ供給される。すなわち、前記冷却槽１を介することなく前記真空吸引ライン２へ加熱殺菌用の温水が供給される。この温水の温度は、８０℃であって、この温水の供給により、前記真空吸引ライン２を前記第一所定温度以上とした状態を前記所定加熱時間維持することにより、前記真空吸引ライン２の消毒を行う。この第三実施例における所定加熱時間は、５分以上の時間に設定している。
【００６８】
また、前記真空吸引ライン２へ温水を供給する際には、前記第一実施例および前記第二実施例と同様、前記冷却水制御弁１０を開いて前記熱交換器５へ冷却水を供給するとともに、前記真空ポンプ７を作動させる。すると、前記真空吸引ライン２内へ流入した温水は、前記真空ポンプ７により、前記熱交換器５を経由して前記排出ライン１４から排出されるため、前記冷却槽１内へ温水が流入するのを防止することができる。
【００６９】
また、この第三実施例においては、前記熱交換器５への冷却水の供給によって、前記熱交換器５内の温水の温度を調整する。ここで、この第三実施例においては、前記第一実施例と同様、前記第一温度センサ１９による前記熱交換器５出口側の温水の温度の検出結果に基づいて、前記熱交換器５内の温水の温度が前記第二所定温度以下となるように、前記冷却水制御弁１０を開閉制御する。
【００７０】
そして、前記所定加熱時間経過後、前記冷却水制御弁１０，前記第一温水制御弁２１，前記給水制御弁２６および前記第二給蒸制御弁２７を閉じ、前記真空ポンプ７を停止させ、消毒作業を終了する。
【００７１】
この第三実施例においては、前記真空吸引ライン２へ温水を直接供給することにより、大量の温水を使用することなく、前記真空吸引ライン２の消毒を確実に行うことができる。しかも、前記真空吸引ライン２へ温水を供給する際、前記真空ポンプ７を作動させているので、前記真空吸引ライン２へ供給された温水が前記冷却槽１内へ流入するのを防止することができる。そのため、汚れを含んだ温水が前記冷却槽１内へ流入し、前記冷却槽１を汚染することもない。さらに、前記真空吸引ライン２の分解洗浄や、洗浄水ラインの接続などの作業が不要となるので、前記真空吸引ライン２の消毒作業の省力化を達成することができる。
【００７２】
また、前記熱交換器５内の温水の温度を制御することにより、前記第一実施例と同様、前記真空ポンプ７の熱による劣化を防止することができる。また、前記第一実施例と同様、前記熱交換器５からの冷却水の温度を制御することにより、前記冷却水排出ライン１２の熱による劣化も防止することができる。
【００７３】
さらに、この第三実施例においても、前記熱交換器５への冷却水の供給量を制御することにより、前記熱交換器５内の温水の温度を調整することで、前記第一実施例と同様、前記食品からのタンパク質成分などの汚れが、前記熱交換器５の伝熱面に固着するのを防止することができる。したがって、汚れの固着による前記熱交換器５の熱効率の低下を防止することができるので、前記真空冷却装置の冷却性能が低下するのを防止することができる。
【００７４】
ここで、この第三実施例においては、前記熱交換器５からの温水の温度に基づいて、前記熱交換器５への冷却水の供給量を制御しているが、この発明の消毒方法においては、前記第二実施例のように、前記冷却水排出ライン１２内の冷却水温度に基づいて、前記熱交換器５への冷却水の供給量を制御する構成とすることもできる。
【００７５】
また、この第三実施例において、前記熱交換器５から前記真空ポンプ７への温水の温度や、前記熱交換器５からの冷却水の温度の制御は、前記熱交換器５への冷水の供給量の調整によって行っているが、この発明の消毒方法においては、前記熱交換器５への温水の供給量の調整によって行うこともできる。
【実施例４】
【００７６】
つぎに、この場合の第四実施例について、図４を参照しながら説明する。この第四実施例は、蒸気または温水の供給による前記真空吸引ライン２の消毒に加え、前記冷却槽１内の消毒も行うようにした場合の実施例である。図４は、この発明の消毒方法を実施する食品機械の第四の構成例を示す説明図である。この食品機械の第四の構成例を示す図４において、前記第三の構成例を示す図３と同一の符号は、同一の部材を示し、それらの詳細な説明は省略する。
【００７７】
この第四実施例において、前記冷却槽１は、側面に食品を出し入れするための開口部（
符号省略）を備え、この開口部を扉２８によって密閉する構造である。この扉２８は、特開平１１−１３８１２０号公報に示されるような、屈曲可能なシャッター構造の扉であって、前記冷却槽の上方部に収納されるように構成されている。そして、前記冷却槽１には、前記扉２８の裏面に向けて洗浄液を噴霧するノズル２９が設けられている。
【００７８】
前記ノズル２９には、前記第一温水供給ライン２２における前記第一温水制御弁２１の上流側から分岐する第二温水供給ライン３０が接続されており、この第二温水供給ライン３０には、第二温水制御弁３１が設けられている。この第二温水制御弁３１は、回線１７を介して制御器１８に接続されている。そして、前記第二温水制御弁３１は、前記真空ポンプ７，前記第一給蒸制御弁８，前記冷却水制御弁１０，前記外気導入弁１５，前記第一温水制御弁２１，前記給水制御弁２６および前記第二給蒸制御弁２７とともに、前記制御器１８によって制御されるように構成されている。
【００７９】
さて、この第四実施例においては、前記第三実施例と同様、前記冷却運転を停止しているとき、前記給水制御弁２６および前記第二給蒸制御弁２７を開いた後、前記第一温水制御弁２１を開くことにより、前記蒸気エゼクタ４を介して前記真空吸引ライン２へ温水を供給する。そして、前記冷却槽１を介することなく前記真空吸引ライン２へ加熱殺菌用の温水を直接供給する。そして、この温水の供給により、前記真空吸引ライン２を前記第一所定温度以上とした状態を前記所定加熱時間維持することにより、前記真空吸引ライン２の消毒を行う。
【００８０】
ここで、この第四実施例において、前記真空吸引ライン２へ温水を供給する際には、前記各実施例と同様、前記冷却水制御弁１０を開いて前記熱交換器５へ冷却水を供給するとともに、前記真空ポンプ７を作動させることにより、前記冷却槽１内へ温水が流入するのを防止することができる。また、この際には、前記第三実施例と同様、前記第一温度センサ１９による前記熱交換器５出口側の温水の温度の検出結果に基づいて、前記熱交換器５内の温水の温度が前記第二所定温度以下となるように、前記冷却水制御弁１０を開閉制御する。
【００８１】
そして、前記所定加熱時間経過後、前記第一温水制御弁２１を閉じ、前記真空ポンプ７を停止させ、前記第二温水制御弁３１を開くことにより、前記第二温水供給ライン３０を介して前記ノズル２９へ温水を供給する。すると、前記ノズル２９から前記扉２８の裏面へ向けて温水が噴霧され、この温水によって前記扉２８の裏面が洗浄される。ここにおいて、前記冷却槽１内へ噴霧された温水は、前記冷却槽１の底部に接続されたドレンライン（図示省略）から排出される。
【００８２】
前記ノズル２９からの温水の温度は、前記のように、８０℃に設定されているため、前記扉２８の温度を前記第一所定温度以上に加熱することができ、この状態を前記所定加熱時間維持することにより、前記扉２８を含め、前記冷却槽１の内部の消毒を行うことができる。また、前記ノズル２９からの温水の温度を８０℃に設定することにより、前記扉２９の裏面や前記冷却槽１の内壁面に付着した油脂分などの揮発成分も溶かして除去することができる。
【００８３】
そして、前記所定加熱時間経過後、前記冷却水制御弁１０，前記給水制御弁２６，前記第二給蒸制御弁２７および前記第二温水制御弁３１を閉じ、消毒作業を終了する。
【００８４】
また、この第四実施例においては、前記熱交換器５からの温水の温度に基づいて、前記熱交換器５への冷却水の供給量を制御しているが、前記第二実施例のように、前記冷却水排出ライン１２内の冷却水温度に基づいて、前記熱交換器５への冷却水の供給量を制御する構成とすることもできる。
【００８５】
また、以上の第四実施例の説明においては、前記真空吸引ライン２へ温水を供給して消毒した後、前記ノズル２９へ温水を供給して前記扉２８を洗浄，消毒するようにしているが、この温水を供給する順番は、逆に行うことができる。また、前記全温水制御弁２１，３１を同時に開けることにより、前記真空吸引ライン２の消毒と、前記扉２８の洗浄，消毒を同時に行うこともできる。
【００８６】
以上のように、この第四実施例においては、前記第三実施例の効果に加え、前記扉２８を含め、前記冷却槽１の内部の消毒を行うことができる。
【００８７】
ここで、以上の説明においては、この発明の消毒方法を実施する真空冷却装置として、前記真空吸引ライン２に前記蒸気エゼクタ４，前記熱交換器５および前記真空ポンプ７を備えている真空冷却装置を例に挙げて説明している。しかし、この発明の消毒方法においては、前記真空吸引ライン２に前記蒸気エゼクタ４を備えておらず、前記熱交換器５および前記真空ポンプ７を備えている真空冷却装置においても好適に実施することができる。この場合、前記真空吸引ライン２への蒸気や温水の供給は、ボイラなどの蒸気発生手段や、温水ボイラ，給湯器などの温水生成手段によって、または前記真空冷却装置を設置している施設に備えられている蒸気配管や温水配管から供給するように構成する。ここで、この場合、前記真空吸引ライン２への蒸気や温水の供給箇所は、前記冷却槽１になるべく近い箇所とする。
【図面の簡単な説明】
【００８８】
【図１】この発明の消毒方法を実施する食品機械の第一の構成例を示す説明図である。
【図２】この発明の消毒方法を実施する食品機械の第二の構成例を示す説明図である。
【図３】この発明の消毒方法を実施する食品機械の第三の構成例を示す説明図である。
【図４】この発明の消毒方法を実施する食品機械の第四の構成例を示す説明図である。
【符号の説明】
【００８９】
１  冷却槽（処理槽）
２  真空吸引ライン
５  熱交換器
７  水封式真空ポンプ（真空吸引手段）
【図１】
2004202223.tif 000003
【図２】
2004202223.tif 000004
【図３】
2004202223.tif 000005
【図４】
2004202223.tif 000006
【手続補正書】
【提出日】平成16年2月12日(2004.2.12)
【手続補正１】
【補正対象書類名】特許請求の範囲
【補正対象項目名】全文
【補正方法】変更
【補正の内容】
【特許請求の範囲】
【請求項１】
熱交換器５およびその下流側に真空吸引手段７を備えた真空吸引ライン２を処理槽１に接続してなる食品機械の消毒方法であって、前記真空吸引ライン２における前記熱交換器５の上流側へ加熱殺菌用の蒸気または温水を供給することを特徴とする食品機械の消毒方法。
【請求項２】
前記熱交換器５内における凝縮水または温水の温度を第一所定温度以上としたことを特徴とする請求項１に記載の食品機械の消毒方法。
【請求項３】
前記熱交換器５から前記真空吸引手段７への凝縮水または温水の温度を前記真空吸引手段７の耐熱温度以下に調整することを特徴とする請求項１または請求項２に記載の食品機械の消毒方法。
【請求項４】
前記真空吸引ライン２へ蒸気または温水を供給する際、前記熱交換器５へ冷却水を供給することを特徴とする請求項１〜請求項３のいずれか１項に記載の食品機械の消毒方法。
【手続補正２】
【補正対象書類名】明細書
【補正対象項目名】全文
【補正方法】変更
【補正の内容】
【発明の詳細な説明】
【技術分野】
【０００１】
この発明は、真空冷却装置，蒸気による食品の加熱調理とその後の真空冷却を行う蒸煮冷却装置などのような、処理槽に真空吸引ラインを接続してなる食品機械の消毒方法に関するものである。
【背景技術】
【０００２】
近年、食品の安全性および衛生面への配慮から、加熱調理した食品の温度を素早く低下させることが要求されるようになった。そのため、食品を短時間で冷却することができる装置として、真空冷却装置が多用されている。この真空冷却装置は、密閉可能な処理槽（すなわち、冷却槽）に真空吸引ラインを接続した構成である。そして、この真空吸引ライ
ンによって前記冷却槽内を減圧して飽和蒸気温度を低下させることにより、前記冷却槽内に収容した食品中の水分の蒸発を促進させ、この水分が蒸発する際の気化潜熱を利用して食品を冷却するようになっている。
【０００３】
ところで、前記真空冷却装置においては、前記冷却槽の真空吸引時、食品から蒸発した揮発成分や食品から飛散した食品の破片，微粒片が前記真空吸引ライン内へ吸い込まれてその内部に付着する。このような食品の揮発成分や飛散した食品の付着は、雑菌の繁殖や悪臭の発生の原因になる。そこで、このような雑菌の繁殖や悪臭の発生を防止するため、従来、一般には、前記真空吸引ラインを分解洗浄し、前記真空吸引ラインの消毒を行っている。しかし、前記真空吸引ラインには、通常、前記真空冷却装置の冷却性能を高めるための熱交換器が設けられているので、分解洗浄には長時間を要し、毎日の作業として取り入れることができない。
【０００４】
そこで、従来の真空冷却装置においては、冷却槽内における真空吸引口に洗浄水ラインを接続し、この洗浄水ラインからの洗浄水によって、真空吸引ラインおよび熱交換器を洗浄する構成が提案されている（たとえば、特許文献１参照)。この真空冷却装置においては、洗浄水として水道水を使用しているため、消毒を確実に行うことができないと云う問題がある。また、前記真空冷却装置においては、洗浄のたびに前記洗浄水ラインを接続する必要があり、手間がかかると云う問題もある。
【０００５】
【特許文献１】特開２００１−２２１５４６号公報
【発明の開示】
【発明が解決しようとする課題】
【０００６】
この発明が解決しようとする課題は、食品機械における真空吸引ラインを分解洗浄することなく、この真空吸引ライン，とくに前記真空吸引ライン中の熱交換器を確実に消毒し、さらに消毒作業の省力化を達成することである。
【課題を解決するための手段】
【０００７】
この発明は、前記課題を解決するためになされたもので、請求項１に記載の発明は、熱交換器およびその下流側に真空吸引手段を備えた真空吸引ラインを処理槽に接続してなる食品機械の消毒方法であって、前記真空吸引ラインにおける前記熱交換器の上流側へ加熱殺菌用の蒸気または温水を供給することを特徴としている。
【０００８】
請求項２に記載の発明は、請求項１の発明において、前記熱交換器内における凝縮水または温水の温度を第一所定温度以上としたことを特徴としている。
【０００９】
請求項３に記載の発明は、請求項１または請求項２の発明において、前記熱交換器から前記真空吸引手段への凝縮水または温水の温度を前記真空吸引手段の耐熱温度以下に調整することを特徴としている。
【００１０】
さらに、請求項４に記載の発明は、請求項１〜３のいずれかの発明において、前記真空吸引ラインへ蒸気または温水を供給する際、前記熱交換器へ冷却水を供給することを特徴としている。
【発明の効果】
【００１１】
この発明によれば、食品機械における真空吸引ライン、とくにこの真空吸引ラインに設けられた熱交換器を確実に消毒することができ、雑菌の繁殖や悪臭の発生を確実に防止することができる。しかも、前記真空吸引ラインの分解洗浄などの手間が不要になり、消毒作業の省力化を達成することができる。
【発明を実施するための最良の形態】
【００１２】
つぎに、この発明の実施の形態について説明する。この発明の消毒方法は、熱交換器およびその下流側に真空吸引手段を備えた真空吸引ラインを処理槽に接続してなる食品機械において、好適に実施することができる。前記食品機械としては、真空冷却装置の他、蒸気による食品の加熱調理とその後の真空冷却を行う蒸煮冷却装置，処理槽内へ減圧下で蒸気を供給して冷凍食品の解凍を行う真空解凍装置などがある。
【００１３】
ここにおいて、前記熱交換器は、前記処理槽内の真空吸引時、前記処理槽内の蒸気（食品から蒸発した蒸気や前記処理槽内へ供給した蒸気）を冷却水との熱交換によって凝縮させ、前記真空吸引手段による吸引効率を増加させるために設けられている。したがって、前記真空冷却装置や前記蒸煮冷却装置においては、前記熱交換器を用いることによって、真空冷却時の冷却性能を向上させることができる。また、前記真空吸引手段は、水封式真空ポンプや、水エゼクタが用いられる。
【００１４】
以下の実施の形態では、真空冷却装置における実施の形態について説明する。さて、この発明の消毒方法においては、前記真空吸引ラインにおける前記熱交換器の上流側へ加熱殺菌用の蒸気または温水を供給する。前記真空吸引ラインへの蒸気や温水の供給は、前記真空冷却装置の冷却運転（食品を冷却し、前記冷却槽から取り出すまでの一連の運転）を停止しているときに行う。
【００１５】
前記真空吸引ラインへの蒸気や温水の供給は、前記真空吸引ラインにおける前記冷却槽になるべく近い箇所に行うのが好ましい。ここにおいて、前記真空吸引ラインへ蒸気を供給する場合は、ボイラなどの適宜の蒸気発生手段を用いることができるし、また前記真空冷却装置を設置している施設に備えられている蒸気配管から供給するように構成することもできる。また、前記真空吸引ラインへ温水を供給する場合は、温水ボイラや給湯器などの他、水と蒸気とを混合して温水を得る混合手段（たとえば、いわゆるミキシングバルブ）のような適宜の温水生成手段を用いることができるし、また真空冷却装置を設置している施設に備えられている温水配管から供給するように構成することもできる。
【００１６】
以上のように、前記真空吸引ラインへ直接蒸気や温水を供給するようにすると、大量の蒸気や温水を使用することなく、前記真空吸引ライン、とくに前記熱交換器の消毒を確実に行うことができる。さらに、前記真空吸引ラインの分解洗浄や、洗浄水ラインの接続などの作業が不要となるので、前記真空吸引ラインの消毒作業の省力化を達成することができる。
【００１７】
また、この発明の消毒方法においては、前記熱交換器内における凝縮水または温水の温度を第一所定温度以上となるように構成する。前記第一所定温度は、前記真空吸引ラインにおける前記熱交換器までの消毒を効率よく行うことができる加熱温度の下限温度であって、約６０℃である。
【００１８】
前記熱交換器内における凝縮水または温水の温度を前記第一所定温度以上とするには、前記真空吸引ラインへの蒸気の供給条件（温度，圧力，供給量など）や温水の供給条件（温度，供給量など）を予め調整しておくことによって行う。
【００１９】
このように、前記熱交換器内における凝縮水や温水の温度を前記第一所定温度以上に維持することにより、前記真空吸引ラインにおける前記熱交換器までの消毒を効率よく行うことができる。
【００２０】
また、この発明の消毒方法において、前記熱交換器から前記真空吸引手段への凝縮水ま
たは温水の温度を前記真空吸引手段の耐熱温度以下に調整するように構成することができる。すなわち、前記と同様、前記真空吸引ラインへの蒸気の供給条件や温水の供給条件を予め調整しておくことによって、前記熱交換器出口側での凝縮水や温水の温度を前記真空吸引手段の耐熱温度以下の温度（以下、「第二所定温度」と云う）に調整する。この構成は、前記真空吸引手段が、とくに水封式真空ポンプの場合において好適である。このように、前記熱交換器出口側での凝縮水や温水の温度を前記第二所定温度以下とすることによって、前記真空吸引手段が短期間で劣化するのを防止することができる。
【００２１】
また、この発明の消毒方法においては、前記真空吸引ラインへ蒸気または温水を供給する際、前記熱交換器へ冷却水を供給するように構成する。この構成は、前記のように、前記真空吸引手段が蒸気または温水の熱により短期間で劣化するのを防止するのに好適である。このように構成すると、前記熱交換器内での凝縮水や温水の温度を低下させることができるので、前記熱交換器から前記真空吸引手段への凝縮水や温水の温度が前記真空吸引手段の耐熱温度以上の温度となるのを確実に防止することができる。
【００２２】
ここにおいて、前記熱交換器へ冷却水を供給する場合、前記熱交換器内や前記熱交換器出口側における凝縮水や温水の温度は、前記熱交換器内や前記熱交換器出口側の凝縮水や温水の温度に基づいて、冷却水の供給量を制御することによって調整することができる。また、この冷却水の供給量の制御は、前記熱交換器から排出される冷却水の温度に基づいて行うこともできる。さらに、冷却水の供給量を制御する代わりに、前記真空冷却ラインへの蒸気や温水の供給量を制御することもできる。
【００２３】
この場合、前記冷却水排出ライン内の冷却水の温度の調整は、前記熱交換器への冷却水の供給量を制御することによって行う。この冷却水の供給量の制御は、前記冷却水排出ライン内の冷却水の温度に基づいて行うことができるし、また前記熱交換器内や前記熱交換器出口側での凝縮水や温水の温度に基づいて行うことができる。また、前記冷却水排出ライン内の冷却水温度の調整は、前記真空吸引ラインへの蒸気や温水の供給量を調整することによって行うこともできる。
【００２４】
また、この発明の消毒方法において、前記熱交換器の冷却水排出ラインが蒸気または温水の熱により劣化するのを防止するのため、前記熱交換器へ冷却水を供給する際には、前記熱交換器からの熱交換後の冷却水の温度が、前記熱交換器の冷却水排出ラインの耐熱温度以下となるように調整する。すなわち、前記冷却水排出ラインは、一般に合成樹脂製（主に塩化ビニール製）の配管が用いられているため、前記冷却水排出ライン内の冷却水の温度を前記合成樹脂製配管の耐熱温度以下に調整することで、前記冷却水排出ラインの熱による劣化を防止することができる。
【００２５】
さらに、この発明の消毒方法において、前記真空吸引ラインへ蒸気を供給する場合には、前記真空吸引手段を作動させることができる。前記真空吸引手段を作動させると、前記熱交換器内の凝縮水を確実に排出することができるので、前記熱交換器内やその下流側の前記真空吸引ライン内での凝縮水の滞留を防止し、前記冷却槽内へ蒸気が流入するのを防止することができる。したがって、前記冷却槽内への蒸気の流入による前記冷却槽内の圧力上昇を防止することができるため、前記冷却槽を強固な耐圧構造とすることなく、安全に消毒作業を行うことができる。また、前記真空吸引ラインへ温水を供給する場合においても前記真空吸引手段を作動させることができ、この場合には、消毒に使用した後の温水が前記冷却槽内へ流入し、前記冷却槽内が汚染されるのを防止することができる。
【００２６】
ここにおいて、この発明の消毒方法は、前記真空吸引ラインに蒸気エゼクタを備えてなる真空冷却装置において、とくに好適に実施することができる。このように、前記真空冷却ラインに前記蒸気エゼクタを備えている場合、前記蒸気エゼクタへ作動流体としての蒸
気を供給するための給蒸ラインを利用して前記真空吸引ラインへ蒸気を供給することができるからである。すなわち、既存の配管を変えることなく、この発明の消毒方法を実施することができるからである。
【００２７】
以上の説明においては、熱交換器およびその下流側に真空吸引手段を備えた真空吸引ラインを冷却槽に接続してなる食品機械における実施の形態について説明したが、この発明は、つぎのような食品機械においても実施することができる。すなわち、熱交換器およびその下流側に真空吸引手段を備えた真空吸引ラインを冷却槽に接続し、前記冷却槽内壁面の洗浄用ノズルを備えてなる食品機械である。そして、この食品機械の消毒方法は、前記真空吸引ラインにおける前記熱交換器の上流側へ加熱殺菌用の蒸気または温水を供給し、前記洗浄用ノズルへ温水を供給する。
【００２８】
この実施の形態においては、スライド式の扉を備えた食品機械が好適であり、とくに特開平１１−１３８１２０号公報に示されるような、屈曲可能なシャッター構造の扉を備えた真空冷却装置において好適に実施することができる。また、前記洗浄用ノズルは、前記冷却槽の内壁面や前記扉裏面へ洗浄液（温水）を噴霧して洗浄するためのノズルである。
【００２９】
この実施の形態においては、前記真空吸引ラインへ直接蒸気または温水を供給して、前記真空吸引ラインを洗浄，消毒した後、前記洗浄用ノズルへ温水を供給して前記扉裏面や前記冷却槽内壁面を洗浄，消毒する。前記真空吸引ラインの洗浄，消毒と、前記扉裏面や前記冷却槽内壁面の洗浄，消毒の順番は、前記と逆に行うことができるし、また同時に行うこともできる。
【００３０】
この実施の形態においては、前記のように、前記真空吸引ラインの確実な消毒と、前記真空吸引ラインの消毒作業の省力化とを達成することができる上、前記洗浄用ノズルへ温水を供給することにより、前記冷却槽の内壁面や前記扉の裏面を確実に消毒することができる。
【００３１】
以上の説明においては、食品機械として真空冷却装置を例に挙げて説明しているが、この発明の消毒方法は、前記のように、蒸煮冷却装置，真空解凍装置などのように、熱交換器およびその下流側に真空吸引手段を備えた真空吸引ラインを処理槽に接続してなる食品機械において実施することができる。
【実施例１】
【００３２】
以下、この発明の具体的実施例を図面に基づいて詳細に説明する。図１は、この発明の消毒方法を実施する食品機械の第一構成例を示す説明図である。ここで、図１に示す食品機械は、食品の冷却を行う真空冷却装置である。
【００３３】
図１において、処理槽としての冷却槽１は、前面に食品を出し入れするための開口部（図示省略）を備え、この開口部を扉（図示省略）によって密閉する構造である。前記冷却槽１には、その内部を減圧するための真空吸引ライン２と、真空冷却後に前記冷却槽１内を大気圧に戻すための外気導入ライン３とが接続されている。
【００３４】
まず、前記真空吸引ライン２には、前記冷却槽１側から蒸気エゼクタ４，熱交換器５，逆止弁６および水封式真空ポンプ７（以下、「真空ポンプ」と云う）が設けられている。前記蒸気エゼクタ４には、第一給蒸制御弁８を備えた第一給蒸ライン９が接続されている。また、前記熱交換器５には、冷却水制御弁１０を備えた冷却水供給ライン１１と、冷却水排出ライン１２とが接続されている。さらに、前記真空ポンプ７には、前記真空ポンプ７へ作動流体としての封水を供給する封水供給ライン１３と、排出ライン１４とが接続されている。
【００３５】
つぎに、前記外気導入ライン３には、前記冷却槽１側から外気導入弁１５および前記冷却槽１内へ導入する外気中のほこりや雑菌などを除去するためのフィルタ１６が設けられている。
【００３６】
つぎに、前記真空冷却装置の制御構成について説明する。まず、前記真空ポンプ７，前記第一給蒸制御弁８，前記冷却水制御弁１０および前記外気導入弁１５は、回線１７を介してそれぞれ制御器１８に接続されている。そして、前記真空ポンプ７，前記第一給蒸制御弁８，前記冷却水制御弁１０および前記外気導入弁１５は、前記制御器１８によってそれぞれ制御されるように構成されている。
【００３７】
つぎに、前記真空冷却装置の運転について、前記制御器１８の制御内容とともに説明する。まず、前記制御器１８は、前記真空ポンプ７を作動させるとともに、前記冷却水制御弁１０を開いて、前記熱交換器５へ冷却水を供給する。すると、前記冷却槽１内の空気および蒸気（以下、「混合気体」と云う）は、前記真空吸引ライン２を介して前記排出ライン１４から排出される。
【００３８】
そして、前記真空ポンプ７の作動により、前記冷却槽１内の圧力が低下していくと、この圧力の低下につれて、飽和蒸気温度が低下する。そのため、前記冷却槽１内に収容した食品（図示省略）の水分が活発に蒸発し、この蒸発に伴う気化潜熱により、前記食品が冷却される。ここで、前記混合気体は、前記熱交換器５を通過する際に冷却され、蒸気が急速に凝縮して体積が減少し、前記熱交換器５内での圧力が低下するため、前記真空ポンプ７による真空吸引が効率よく行われる。
【００３９】
そして、所定時間経過後、前記第一給蒸制御弁８を開放して、前記蒸気エゼクタ４を作動させ、低圧となった前記冷却槽１からさらに前記混合気体を吸引する。すると、前記冷却槽１内の圧力はさらに低下するため、前記食品の温度もさらに低下する。ここで、前記蒸気エゼクタ４からは、前記混合気体とともに、前記第一給蒸ライン９からの蒸気が排出されるが、前記のように、前記熱交換器５によって蒸気を凝縮させることで、前記真空ポンプ７による真空吸引の効率を向上させている。
【００４０】
前記食品が所定冷却温度まで冷却されると、前記制御器１８は、前記真空ポンプ７を停止させるとともに、前記第一給蒸制御弁８を閉じて前記蒸気エゼクタ４を停止させる。また、前記冷却水制御弁１０を閉じて、前記熱交換器５への冷却水の供給を停止する。そして、前記外気導入弁１５を開くことにより、前記外気導入ライン３から前記冷却槽１内へ空気を導入して前記冷却槽１内を大気圧に戻す。この後、前記扉（図示省略）を開いて、前記冷却槽１から前記食品を取り出して、前記真空冷却装置の冷却運転を終了する。
【００４１】
さて、前記真空冷却装置の消毒方法の第一実施例について、図１を参照しながら、前記制御器１８の制御内容とともに説明する。ここで、この消毒方法の第一実施例を実施する前記真空冷却装置においては、前記真空吸引ライン２における前記熱交換器５と前記真空ポンプ７との間に、前記熱交換器５からの凝縮水の温度を検出するための第一温度センサ１９を設けてある。この第一温度センサ１９は、前記回線１７を介して前記制御器１８に接続されている。
【００４２】
この第一実施例においては、前記冷却運転を停止しているとき、前記第一給蒸制御弁８を開くことにより、前記蒸気エゼクタ４を介して前記真空吸引ライン２へ加熱殺菌用の蒸気を直接供給する。
【００４３】
前記真空吸引ライン２へ蒸気を供給する際には、前記冷却水制御弁１０を開いて前記熱
交換器５へ冷却水を供給するとともに、前記真空ポンプ７を作動させる。すると、前記熱交換器５内においては、前記熱交換器５へ供給された冷却水によって、前記熱交換器５へ流入した蒸気が凝縮し、この凝縮水は、前記真空ポンプ７によって、前記排出ライン１４から排出される。
【００４４】
ここにおいて、前記真空吸引ライン２へ蒸気の供給量および前記熱交換器５への冷却水の供給量は、前記熱交換器５内の凝縮水の温度が前記真空吸引ライン２における前記熱交換器５までの消毒を効果的に行なうことができる加熱温度（以下、「第一所定温度」と云う）以上となるように予め調整してある。この第一所定温度は、細菌類を効果的に死滅させるための加熱温度である。前記熱交換器５内の凝縮水の温度を前記第一所定温度以上とするには、たとえば、前記真空吸引ライン２への蒸気の圧力を０．４MPa（このときの温度は、約１５１℃）とし、この蒸気の供給により、前記真空吸引ライン２を加熱し、消毒を行う。
【００４５】
そして、前記熱交換器５内の凝縮水の温度を前記第一所定温度以上とした状態を所定加熱時間維持する。この所定加熱時間は、前記第一所定温度に基づいて、所望の殺菌状態に応じて決定した時間である。すなわち、細菌類を死滅させるための条件として、加熱温度とこの加熱温度を維持する時間とが細菌類の種類に応じて決まるので、所望の殺菌状態と前記第一所定温度とに基づいて、前記所定加熱時間を求めることができる。たとえば、病原性大腸菌Ｏ−１５７の場合、前記所定加熱時間は、前記第一所定温度を６０℃とする場合、約１０分であり、また７０℃とする場合、約４秒である。
【００４６】
つぎに、前記所定加熱時間経過後、前記第一給蒸制御弁８および前記冷却水制御弁１０を閉じ、前記真空ポンプ７を停止させ、消毒作業を終了する。
【００４７】
以上のように、前記真空吸引ライン２へ加熱殺菌用の蒸気を直接供給するようにすると、大量の蒸気を使用することなく、前記真空吸引ライン２の消毒を確実に行うことができる。しかも、前記真空吸引ライン２の分解洗浄や、洗浄水ラインの接続などの作業が不要となるので、前記真空吸引ライン２の消毒作業の省力化を達成することができる。
【００４８】
また、前記真空ポンプ７によって、前記真空吸引ライン２内を吸引しているので、前記真空吸引ライン２へ供給された蒸気が前記冷却槽１内へ流入するのを防止することができる。そのため、前記冷却槽１は、蒸気の流入によって圧力が上昇しないので、前記冷却槽１の耐圧性に関係なく前記真空吸引ライン２の消毒作業を安全に行うことができ、しかも前記冷却槽１を強固な耐圧構造とする必要がなくなる。
【００４９】
ここで、前記真空ポンプ７の作動により、前記冷却槽１内へ蒸気が流入するのを防止することができる理由について説明する。まず、前記熱交換器５は、前記真空吸引ライン２内へ供給された蒸気を冷却し、凝縮させている。つぎに、この凝縮水が、前記熱交換器５内やその下流側の前記真空吸引ライン２内に滞留すると、前記蒸気エゼクタ４からの蒸気は、前記排出ライン１４からの排出が妨げられるので、前記冷却槽１内へ流入してしまう。そこで、前記真空ポンプ７を作動させることによって凝縮水を吸引し、前記排出ライン１４から排出することで、前記第一給蒸ライン９からの蒸気が前記冷却槽１内へ流入するのを防止することができる。したがって、蒸気の流入による前記冷却槽１内の圧力の上昇を防止することができるため、前記冷却槽１を強固な耐圧構造とすることなく、消毒作業を安全に行うことができる。
【００５０】
以上のように、前記熱交換器５内における凝縮水の温度を前記第一所定温度以上に維持することにより、前記真空吸引ライン２における前記熱交換器５までの消毒を効率よく行うことができる。また、前記熱交換器５内における凝縮水の温度を前記第一所定温度以上
に維持することにより、前記熱交換器５内に付着した油脂分などの揮発成分を溶かすことができるので、このような揮発成分も除去することができる。そのため、前記汚れの固着による前記熱交換器５の熱効率の低下により、前記冷却性能が低下するのを防止することができる。
【００５１】
また、この第一実施例において、前記真空吸引ライン２へ蒸気を供給する際、前記制御器１８は、前記第一温度センサ１９による検出結果に基づき、前記熱交換器５出口側での凝縮水の温度が第二所定温度以下となるように、前記冷却水制御弁１０を開閉制御し、前記熱交換器５への冷却水の供給量を調整している。前記冷却水制御弁１０の開閉制御は、具体的には、前記検出結果が前記第二所定温度より高いときは、前記冷却水制御弁１０の単位時間当たりの開時間を長くして、前記熱交換器５への冷却水の供給量を多くする。一方、前記検出結果が前記第二所定温度より低いときは、前記冷却水制御弁１０の単位時間当たりの開時間を短くして、冷却水の供給量を少なくする。
【００５２】
ここで、前記第二所定温度は、前記真空ポンプ７の耐熱温度以下の温度である。この耐熱温度が９０℃の場合、前記第二所定温度は、８５℃に設定する。このように、前記熱交換器５から前記真空ポンプ７への凝縮水温度を調整することにより、前記真空ポンプ７が高温の凝縮水によって短期間に劣化するのを防止することができる。
【００５３】
また、この第一実施例において、前記冷却水排出ライン１２が、塩化ビニール製の配管で構成されている場合、つぎのような制御を行う。すなわち、前記第一温度センサ１９による検出温度に基づき、前記冷却水排出ライン１２内の冷却水の温度が第三所定温度以下となるように、前記冷却水制御弁１０を開閉制御し、前記熱交換器５への冷却水の供給量を調整する。前記第三所定温度は、前記塩化ビニール製の配管の耐熱温度（６０℃）以下の温度である。このように、前記冷却水排出ライン１２内の冷却水の温度を前記第三所定温度以下に調整することで、前記冷却水排出ライン１２の熱による劣化を防止することができる。
【００５４】
ここで、前記第一温度センサ１９による検出温度に基づいて、前記冷却水排出ライン１２内の冷却水の温度を調整することができるのは、前記熱交換器５への蒸気の圧力，温度，供給量と、前記熱交換器５への冷却水の温度，供給量との関係から、前記熱交換器５からの凝縮水の温度に基づいて、前記熱交換器５からの熱交換後の冷却水温度を求めることができるからである。
【００５５】
また、この第一実施例においては、前記熱交換器５への冷却水の供給量を制御することにより、前記熱交換器５内の凝縮水の熱によって前記食品からのタンパク質成分などの汚れが変質して前記熱交換器５の伝熱面に固着するのを防止することができる。すなわち、前記熱交換器５への冷却水の供給量を制御し、前記熱交換器５内における凝縮水の温度を前記のような汚れが変質しない温度以下とすることにより、前記汚れが前記伝熱面に固着するのを防止することができる。したがって、前記汚れの固着による前記熱交換器５の熱効率の低下を防止することができるので、前記真空冷却装置の冷却性能が低下するのを防止することができる。
【００５６】
ここで、この第一実施例においては、前記熱交換器５の出口側の凝縮水の温度に基づいて、冷却水の供給量を制御しているが、前記真空ポンプ７の耐熱性を考慮する必要のないときは、この制御は不要である。
【実施例２】
【００５７】
つぎに、この発明の第二実施例について、図２を参照しながら説明する。この第二実施例は、前記冷却水排出ライン１２内の冷却水の温度に基づいて、前記熱交換器５への冷却
水の供給量を制御する場合の実施例である。図２は、この発明の消毒方法を実施する食品機械の第二構成例を示す説明図である。この食品機械の第二構成例を示す図２において、前記第一構成例を示す図１と同一の符号は、同一の部材を示し、それらの詳細な説明は省略する。
【００５８】
図２において、前記冷却水排出ライン１２には、前記冷却水排出ライン１２内の冷却水の温度を検出するための第二温度センサ２０が設けられている。この第二温度センサ２０は、前記回線１７を介して前記制御器１８に接続されている。そして、前記第二温度センサ２０によって、前記熱交換器５からの熱交換後の冷却水の温度を検出し、この検出温度に基づいて、前記冷却水制御弁１０を開閉制御し、前記熱交換器５への冷却水の供給量を調整することで、前記熱交換器５内の凝縮水の温度を制御している。すなわち、前記第二温度センサ２０の検出結果に基づく前記熱交換器５出口側における凝縮水の温度が前記第二所定温度よりも高くなるときは、前記冷却水制御弁１０の単位時間当たりの開時間を長くして、前記熱交換器５への冷却水の供給量を多くする。一方、前記検出結果に基づく前記熱交換器５出口側における凝縮水の温度が前記第二所定温度より低いときは、前記冷却水制御弁１０の単位時間当たりの開時間を短くして、冷却水の供給量を少なくする。
【００５９】
ここで、前記第二温度センサ２０による検出温度に基づいて、前記熱交換器５内や前記熱交換器５出口側における凝縮水の温度を調整することができるのは以下の理由による。すなわち、前記熱交換器５への蒸気の圧力，温度，供給量と、前記熱交換器５への冷却水の温度，供給量との関係から、熱交換後の冷却水温度に基づいて、前記熱交換器５出口側での凝縮水の温度を求めることができるからである。
【００６０】
以上のように、この第二実施例においても、前記真空ポンプ７が高温の凝縮水によって劣化するのを防止することができる。また、この第二実施例においても、前記第二温度センサ２０による検出温度に基づいて、前記冷却水制御弁１０を開閉制御することにより、前記冷却水排出ライン１２内の冷却水の温度を前記第三所定温度以下に調整することができる。そのため、前記第一実施例と同様、前記冷却水排出ライン１２の熱による劣化を防止することができる。
【００６１】
ここで、前記第一実施例および前記第二実施例においては、前記熱交換器５内や前記熱交換器５出口部での凝縮水の温度および前記熱交換器５からの冷却水の温度を前記熱交換器５への冷却水の供給量を制御することによって調整しているが、前記真空吸引ライン２内への蒸気の供給量を制御することによって調整することもできる。この場合には、前記第一温度センサ１９や前記第二温度センサ２０からの検出結果に基づいて、前記冷却水制御弁１０の開閉制御を行う代わりに、前記第一給蒸制御弁８の開閉制御を行う。
【実施例３】
【００６２】
つぎに、この発明の第三実施例について、図３を参照しながら説明する。この第三実施例は、蒸気の代わりに温水を用いて前記真空吸引ライン２内の消毒を行う場合の実施例である。図３は、この発明の消毒方法を実施する食品機械の第三構成例を示す説明図である。この食品機械の第三構成例を示す図３において、前記第一構成例を示す図１と同一の符号は、同一の部材を示し、それらの詳細な説明は省略する。
【００６３】
図３において、前記第一給蒸ライン９における前記蒸気エゼクタ４と前記第一給蒸制御弁８との間には、第一温水制御弁２１を備えた第一温水供給ライン２２が接続されている。前記第一温水供給ライン２２の上流端には、温水生成装置２３が設けられており、この温水生成装置２３には、給水ライン２４と、前記第一給蒸ライン９から分岐する第二給蒸ライン２５とが接続されている。前記温水生成装置２３は、いわゆるミキシングバルブであって、前記給水ライン２４からの水と前記第二給蒸ライン２５からの蒸気とを予め設定
した温度の温水となるように混合し、この温水を前記第一温水供給ライン２２へ供給するようになっている。前記給水ライン２４には、給水制御弁２６が設けられており、また前記第二給蒸ライン２５には、第二給蒸制御弁２７が設けられている。
【００６４】
そして、前記第一温水制御弁２１，前記給水制御弁２６および前記第二給蒸制御弁２７は、前記回線１７を介してそれぞれ前記制御器１８に接続されている。前記各制御弁２１，２６，２７は、前記真空ポンプ７，前記第一給蒸制御弁８，前記冷却水制御弁１０および前記外気導入弁１５とともに、前記制御器１８によって制御されるように構成されている。
【００６５】
さて、この第三実施例においては、前記冷却運転を停止しているとき、前記給水制御弁２６および前記第二給蒸制御弁２７を開いた後、前記第一温水制御弁２１を開く。すると、前記温水生成装置２３へ供給された水と蒸気とが混合されて所定温度の温水となり、この温水は、前記第一温水供給ライン２２から前記蒸気エゼクタ４を介して前記真空吸引ライン２へ加熱殺菌用の温水として供給される。この温水の温度は、８０℃であって、この温水の供給により、前記真空吸引ライン２を前記第一所定温度以上とした状態を前記所定加熱時間維持することで、前記真空吸引ライン２の消毒を行う。この第三実施例における所定加熱時間は、５分以上の時間に設定している。
【００６６】
また、前記真空吸引ライン２へ温水を供給する際には、前記第一実施例および前記第二実施例と同様、前記冷却水制御弁１０を開いて前記熱交換器５へ冷却水を供給するとともに、前記真空ポンプ７を作動させる。すると、前記真空吸引ライン２内へ流入した温水は、前記真空ポンプ７により、前記熱交換器５を経由して前記排出ライン１４から排出されるため、前記冷却槽１内へ温水が流入するのを防止することができる。
【００６７】
また、この第三実施例においては、前記熱交換器５への冷却水の供給によって、前記熱交換器５内の温水の温度を調整する。ここで、この第三実施例においては、前記第一実施例と同様、前記第一温度センサ１９による前記熱交換器５出口側における温水の温度の検出結果に基づいて、前記熱交換器５内における温水の温度が前記第二所定温度以下となるように、前記冷却水制御弁１０を開閉制御する。
【００６８】
そして、前記所定加熱時間経過後、前記冷却水制御弁１０，前記第一温水制御弁２１，前記給水制御弁２６および前記第二給蒸制御弁２７を閉じ、前記真空ポンプ７を停止させ、消毒作業を終了する。
【００６９】
この第三実施例においては、前記真空吸引ライン２へ温水を直接供給することにより、大量の温水を使用することなく、前記真空吸引ライン２の消毒を確実に行うことができる。しかも、前記真空吸引ライン２へ温水を供給する際、前記真空ポンプ７を作動させているので、前記真空吸引ライン２へ供給された温水が前記冷却槽１内へ流入するのを防止することができる。そのため、汚れを含んだ温水が前記冷却槽１内へ流入し、前記冷却槽１が汚染されるのを防止することができる。さらに、前記真空吸引ライン２の分解洗浄や、洗浄水ラインの接続などの作業が不要となるので、前記真空吸引ライン２の消毒作業の省力化を達成することができる。
【００７０】
また、前記熱交換器５内の温水の温度を制御することにより、前記第一実施例と同様、前記真空ポンプ７の熱による劣化を防止することができる。また、前記第一実施例と同様、前記熱交換器５からの冷却水の温度を制御することにより、前記冷却水排出ライン１２の熱による劣化も防止することができる。
【００７１】
さらに、この第三実施例においても、前記熱交換器５への冷却水の供給量を制御するこ
とにより、前記熱交換器５内の温水の温度を調整することで、前記第一実施例と同様、前記食品からのタンパク質成分などの汚れが、前記熱交換器５の伝熱面に固着するのを防止することができる。したがって、汚れの固着による前記熱交換器５の熱効率の低下を防止することができるので、前記真空冷却装置の冷却性能が低下するのを防止することができる。
【００７２】
ここで、この第三実施例においては、前記熱交換器５からの温水の温度に基づいて、前記熱交換器５への冷却水の供給量を制御しているが、この発明の消毒方法においては、前記第二実施例のように、前記冷却水排出ライン１２内の冷却水温度に基づいて、前記熱交換器５への冷却水の供給量を制御する構成とすることもできる。
【００７３】
また、この第三実施例において、前記熱交換器５から前記真空ポンプ７への温水の温度や、前記熱交換器５からの冷却水の温度の制御は、前記熱交換器５への冷水の供給量の調整によって行っているが、この発明の消毒方法においては、前記熱交換器５への温水の供給量の調整によって行うこともできる。
【実施例４】
【００７４】
つぎに、この場合の第四実施例について、図４を参照しながら説明する。この第四実施例は、蒸気または温水の供給による前記真空吸引ライン２の消毒に加え、前記冷却槽１内の消毒も行うようにした場合の実施例である。図４は、この発明の消毒方法を実施する食品機械の第四構成例を示す説明図である。この食品機械の第四構成例を示す図４において、前記第三構成例を示す図３と同一の符号は、同一の部材を示し、それらの詳細な説明は省略する。
【００７５】
この第四実施例において、前記冷却槽１は、側面に食品を出し入れするための開口部（符号省略）を備え、この開口部を扉２８によって密閉する構造である。この扉２８は、特開平１１−１３８１２０号公報に示されるような、屈曲可能なシャッター構造の扉であって、前記冷却槽の上方部に収納されるように構成されている。そして、前記冷却槽１には、前記扉２８の裏面に向けて洗浄液を噴霧する洗浄用ノズル２９が設けられている。
【００７６】
前記洗浄用ノズル２９には、前記第一温水供給ライン２２における前記第一温水制御弁２１の上流側から分岐する第二温水供給ライン３０が接続されており、この第二温水供給ライン３０には、第二温水制御弁３１が設けられている。この第二温水制御弁３１は、回線１７を介して制御器１８に接続されている。そして、前記第二温水制御弁３１は、前記真空ポンプ７，前記第一給蒸制御弁８，前記冷却水制御弁１０，前記外気導入弁１５，前記第一温水制御弁２１，前記給水制御弁２６および前記第二給蒸制御弁２７とともに、前記制御器１８によって制御されるように構成されている。
【００７７】
さて、この第四実施例においては、前記第三実施例と同様、前記冷却運転を停止しているとき、前記給水制御弁２６および前記第二給蒸制御弁２７を開いた後、前記第一温水制御弁２１を開くことにより、前記蒸気エゼクタ４を介して前記真空吸引ライン２へ加熱殺菌用の温水を供給する。そして、この温水の供給により、前記真空吸引ライン２を前記第一所定温度以上とした状態を前記所定加熱時間維持することにより、前記真空吸引ライン２の消毒を行う。
【００７８】
ここで、この第四実施例において、前記真空吸引ライン２へ温水を供給する際には、前記各実施例と同様、前記冷却水制御弁１０を開いて前記熱交換器５へ冷却水を供給するとともに、前記真空ポンプ７を作動させることにより、前記冷却槽１内へ温水が流入するのを防止することができる。また、この際には、前記第三実施例と同様、前記第一温度センサ１９による前記熱交換器５出口側の温水の温度の検出結果に基づいて、前記熱交換器５
内の温水の温度が前記第二所定温度以下となるように、前記冷却水制御弁１０を開閉制御する。
【００７９】
そして、前記所定加熱時間経過後、前記第一温水制御弁２１を閉じ、前記真空ポンプ７を停止させ、前記第二温水制御弁３１を開くことにより、前記第二温水供給ライン３０を介して前記洗浄用ノズル２９へ温水を供給する。すると、前記洗浄用ノズル２９から前記扉２８の裏面へ向けて温水が噴霧され、この温水によって前記扉２８の裏面が洗浄される。ここにおいて、前記冷却槽１内へ噴霧された温水は、前記冷却槽１の底部に接続されたドレンライン（図示省略）から排出される。
【００８０】
前記洗浄用ノズル２９からの温水の温度は、前記のように、８０℃に設定されているため、前記扉２８の温度を前記第一所定温度以上に加熱することができ、この状態を前記所定加熱時間維持することにより、前記扉２８を含め、前記冷却槽１の内部の消毒を行うことができる。また、前記洗浄用ノズル２９からの温水の温度を８０℃に設定することにより、前記扉２８の裏面や前記冷却槽１の内壁面に付着した油脂分などの揮発成分も溶かして除去することができる。
【００８１】
そして、前記所定加熱時間経過後、前記冷却水制御弁１０，前記給水制御弁２６，前記第二給蒸制御弁２７および前記第二温水制御弁３１を閉じ、消毒作業を終了する。
【００８２】
また、この第四実施例においては、前記熱交換器５からの温水の温度に基づいて、前記熱交換器５への冷却水の供給量を制御しているが、前記第二実施例のように、前記冷却水排出ライン１２内の冷却水温度に基づいて、前記熱交換器５への冷却水の供給量を制御する構成とすることもできる。
【００８３】
また、以上の第四実施例の説明においては、前記真空吸引ライン２へ温水を供給して消毒した後、前記洗浄用ノズル２９へ温水を供給して前記扉２８を洗浄，消毒するようにしているが、この温水を供給する順番は、逆に行うことができる。また、前記両温水制御弁２１，３１を同時に開けることにより、前記真空吸引ライン２の消毒と、前記扉２８の洗浄，消毒を同時に行うこともできる。
【００８４】
以上のように、この第四実施例においては、前記第三実施例の効果に加え、前記扉２８を含め、前記冷却槽１の内部の消毒を行うことができる。
【００８５】
ここで、以上の説明においては、この発明の消毒方法を実施する真空冷却装置として、前記真空吸引ライン２に前記蒸気エゼクタ４，前記熱交換器５および前記真空ポンプ７を備えている真空冷却装置を例に挙げて説明している。しかし、この発明の消毒方法においては、前記真空吸引ライン２に前記蒸気エゼクタ４を備えておらず、前記熱交換器５および前記真空ポンプ７を備えている真空冷却装置においても好適に実施することができる。この場合、前記真空吸引ライン２への蒸気や温水の供給は、ボイラなどの蒸気発生手段や、温水ボイラ，給湯器などの温水生成手段によって行うようにすることができるし、また前記真空冷却装置を設置している施設に備えられている蒸気配管や温水配管から行うようにする。そして、前記真空吸引ライン２への蒸気や温水は、前記冷却槽１になるべく近い箇所に供給する。
【図面の簡単な説明】
【００８６】
【図１】この発明の消毒方法を実施する食品機械の第一構成例を示す説明図である。
【図２】この発明の消毒方法を実施する食品機械の第二構成例を示す説明図である。
【図３】この発明の消毒方法を実施する食品機械の第三構成例を示す説明図である。
【図４】この発明の消毒方法を実施する食品機械の第四構成例を示す説明図である。
【符号の説明】
【００８７】
１  冷却槽（処理槽）
２  真空吸引ライン
５  熱交換器
７  水封式真空ポンプ（真空吸引手段）